(57)【特許請求の範囲】
【請求項１】
建物の躯体と目地部を介して設けられたエレベーターシャフトの開口部の上下部位の外壁面に左右方向にスライド移動可能に取付けられたスライド移動枠と、このスライド移動枠の下部に固定あるいは左右方向にスライド移動可能に取付けられた、前記建物の床躯体との間の目地部を、該目地部が広くなったり、狭くなっても覆うことができる目地プレートを備える床用目地装置と、前記スライド移動枠の両側部に一端部が取付けられ、他端部が前記エレベーターシャフトの開口部の両側部に取付けられた一対の伸縮可能な壁面用目地装置とからなることを特徴とするエレベーターシャフトの開口部の目地装置。
【請求項２】
建物の躯体と目地部を介して設けられたエレベーターシャフトの開口部の上下部位の外壁面に左右方向にスライド移動可能に取付けられたスライド移動枠と、このスライド移動枠の下部に固定あるいは左右方向にスライド移動可能に取付けられた、前記建物の床躯体との間の目地部を、該目地部が広くなったり、狭くなっても覆うことができる目地プレートを備える床用目地装置と、前記スライド移動枠の上部に固定あるいは左右方向にスライド移動可能に取付けられた前記建物の天井部材との間の目地部を覆う天井プレートを備える天井用目地装置と、前記スライド移動枠の両側部に一端部が取付けられ、他端部が前記エレベーターシャフトの開口部の両側部に取付けられた一対の伸縮可能な壁面用目地装置とからなることを特徴とするエレベーターシャフトの開口部の目地装置。
【発明の詳細な説明】
【０００１】
【発明の属する技術分野】
本発明はエレベーターシャフトの開口部の目地装置に関する。
【０００２】
【従来の技術】
従来、エレベーターシャフトの開口部側にはエレベーターシャフトの両側部に一端部が取付けられ、他端部が建物の躯体に取付けられた一対の伸縮可能な壁面用目地装置を用いている。
【０００３】
【発明が解決しようとする課題】
従来のエレベーターシャフトの開口部側に設けた一対の伸縮可能な壁面用目地装置は、一端部がエレベーターシャフトの両側部に取付けられ、他端部が建物の躯体に取付けられているので、地震等によってエレベーターシャフトが前方の目地部が狭くなるように揺れ動いた場合に、一対の壁面用目地装置が傾斜状態となるため、一対の壁面用目地装置を左右方向に伸縮可能で、かつ両端部を回動可能に枢支しなければならず、構造が複雑で、長期間の使用で動作不良になる等の欠点があるとともに、傾斜状態になった場合に、あるいは天井部位に三角形状の隙間が生じる等の欠点があった。
【０００４】
本発明は以上のような従来の欠点に鑑み、エレベーターシャフトが前方の目地部が狭くなるように揺れ動いても、一対の壁面用目地装置が傾斜したりすることなく覆うことができ、揺れ動きによって新たなる隙間が生じたりすることのない構造が簡単で、スムーズに移動可能なエレベーターシャフトの開口部の目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は建物の躯体と目地部を介して設けられたエレベーターシャフトの開口部の上下部位の外壁面に左右方向にスライド移動可能に取付けられたスライド移動枠と、このスライド移動枠の下部に固定あるいは左右方向にスライド移動可能に取付けられた、前記建物の床躯体との間の目地部を、該目地部が広くなったり、狭くなっても覆うことができる目地プレートを備える床用目地装置と、前記スライド移動枠の両側部に一端部が取付けられ他端部が前記エレベーターシャフトの開口部の両側部に取付けられた一対の伸縮可能な壁面用目地装置とでエレベーターシャフトの開口部の目地装置を構成している。
【０００７】
【発明の実施の形態】
以下、図面に示す実施の形態により、本発明を詳細に説明する。
【０００８】
図１ないし図１１に示す本発明の第１の実施の形態において、１は建物２の躯体２ａと目地部３を介して設けられたエレベーターシャフト４の開口部５の周囲を覆う本発明のエレベーターシャフトの開口部の目地装置で、このエレベーターシャフトの開口部の目地装置１は前記エレベーターシャフト４の開口部５の上下部位の外壁面に、左右方向にスライド移動可能に複数個のクランク状の支持金具６、６に支持されたスライド移動枠７と、このスライド移動枠７の下部に固定あるいは左右方向にスライド移動可能、本発明の実施の形態では左右方向にスライド移動可能に取付けられた、前記建物２の床躯体２ａとの間の目地部３を、該目地部３が広くなったり、狭くなっても覆うことができる目地プレート８を備える床用目地装置９と、前記スライド移動枠７の上部に固定あるいは左右方向にスライド移動可能、本発明の実施の形態では左右方向にスライド移動可能に取付けられた、前記建物２の天井部材１０との間の目地部３を覆う天井プレート１１を備える天井用目地装置１２と、前記スライド移動枠７の両側部に一端部が取付けられ他端部が前記エレベーターシャフト４の開口部５の両側部に取付けられた一対の伸縮可能な壁面用目地装置１３、１３とで構成されている。
【０００９】
前記床用目地装置９は図５に示すように、前記建物２のエレベーターシャフト収納部１４の前方の床躯体２ａに形成された前記エレベーターシャフト４の前方の目地部３の寸法の約２倍の凹部１５と、この凹部１５の底面を覆うように複数本のビス１６等によって固定された目地部側に目地プレート支持片１７、反目地部側にカバー部材支持片１８が形成された金属材製の支持レール１９と、前記スライド移動枠７の下部に複数本のビス１６等によって固定されたクランク状のガイドレール２０と、このガイドレール２０に一側部の下面にガイド片２１が形成され、前記凹部１５のほぼ中央部に位置する他側部の下面にローラー２２が取付けられた目地プレート８と、この目地プレート８の他側部のスライド移動を可能に、前記支持レール１９の上部を覆う複数本のビス２３等によって固定されたカバー部材２４とで構成されている。
【００１０】
前記天井用目地装置１２は図６に示すように、前記スライド移動枠７の上部に複数本のビス１６等によって固定されたクランク状のガイドレール２５と、このガイドレール２５に一側部の上面にガイド片２６が形成され、他側部が前記天井部材１０と重なり合う天井プレート１１とで構成されている。
【００１１】
前記一対の伸縮可能な壁面用目地装置１３、１３は図７および図８に示すように、一端部が前記スライド移動枠７の側部部材７ａに複数本のビス１６等によって固定され、他端部がエレベーターシャフト４の開口部５寄りの部位に複数本のビス１６等によって固定された少なくとも２個以上の、３個の中央枢支部２７、２８、２９を有するパンタグラフ形状のリンク機構３１、３１と、このリンク機構３１、３１の中央枢支部２７、２８、２９に枢支された重なり合う３枚の目地プレート３２、３３、３４とで構成されている。
【００１２】
上記構成のエレベーターシャフトの開口部の目地装置１は、地震等によってエレベーターシャフト４の開口部５側の目地部３が広くなったり、狭くなったりする揺れ動きには図９および図１０に示すように、エレベーターシャフト４とスライド移動枠７とが一体になって移動するため、床用目地装置９の目地プレート８の遊端部が支持レール１９上をスライド移動して、その揺れ動きを吸収する。
また、天井部分は天井プレート１１が天井部材１０に沿ってスライド移動して、その揺れ動きを吸収する。
【００１３】
エレベーターシャフト４が左右方向に揺れ動いた場合には、図１１に示すようにスライド移動枠７が左右方向にスライド移動するため、一対の伸縮可能な壁面用目地装置１３、１３が伸縮して、その揺れ動きを吸収する。
【００１４】
【発明の異なる実施の形態】
次に、図１２ないし図２０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１２ないし図１４に示す本発明の第２の実施の形態において、前記本発明の第１の実施の形態と主に異なる点は、エレベーターシャフト４の前方の建物２の床躯体２ａ上にスライド移動可能に支持される板状の目地プレート８Ａを使用した床用目地装置９Ａを用いた点で、このように形成された床用目地装置９Ａを用いて構成したエレベーターシャフトの開口部の目地装置１Ａにしても、前記本発明の第１の実施の形態と同様な作用効果が得られる。
【００１６】
図１５ないし図１７に示す本発明の第３の実施の形態において、前記本発明の第１の実施の形態と主に異なる点は、反目地部側に目地プレート８Ｂの先端部を上方へ押し上げることができる傾斜面３６が形成された凹部１５Ａと、この凹部１５Ａを覆い目地部３が狭くなると遊端部が上方へ回動するように後端部をスライド移動枠７に取付け具３７を介して取付けた床用目地装置９Ｂを用いた点で、このように形成された床目地装置用９Ｂを用いて構成したエレベーターシャフトの開口部の目地装置１Ｂにしても、前記本発明の第１の実施の形態と同様な作用効果が得られる。
【００１７】
図１８ないし図２０に示す本発明の第４の実施の形態において、前記本発明の第１の実施の形態と主に異なる点は、スライド移動枠７の上下部位に取付けられた一対のガイドレール３８、３８と、この一対のガイドレール３８、３８に上下端部がスライド移動可能に支持される両側部に係止部３９、４０を有する複数枚の伸縮可能な目地プレート４１、４２、４３と、この目地プレート４１、４２、４３の一端部の目地プレート４１をスライド移動枠７の側部部材７ａに固定する固定具４５と、前記目地プレート４１、４２、４３の他端部の目地プレート４３をエレベータータシャフト４の開口部５寄りの壁面に固定する固定具４６とからなる一対の伸縮可能な壁面用目地装置１３Ａ、１３Ａを用いた点で、このような壁面用目地装置１３Ａ、１３Ａを用いて構成したエレベーターシャフトの開口部の目地装置１Ｃにしても、前記本発明の第１の実施の形態と同様な作用効果が得られる。
【００１８】
【発明の効果】
以上の説明から明らかなように、本発明にあっては次に列挙する効果が得られる。
【００１９】
（１）建物の躯体と目地部を介して設けられたエレベーターシャフトの開口部の上下部位の外壁面に左右方向にスライド移動可能に取付けられたスライド移動枠と、このスライド移動枠の下部に固定あるいは左右方向にスライド移動可能に取付けられた、前記建物の床躯体との間の目地部を、該目地部が広くなったり、狭くなっても覆うことができる目地プレートを備える床用目地装置と、前記スライド移動枠の両側部に一端部が取付けられ、他端部が前記エレベーターシャフトの開口部の両側部に取付けられた一対の伸縮可能な壁面用目地装置とで構成されているので、エレベーターシャフトの開口部の両側部に取付けられる一対の伸縮可能な壁面用目地装置がエレベーターシャフトの前後方向の揺れ動き時には該エレベーターシャフトと一体になって前後方向に移動させることができる。
したがって、従来のように三角形状の隙間が床面や天井面に生じるのを確実に防止することができる。
【００２０】
（２）前記（１）によって、一対の伸縮可能な壁面用目地装置は両端部を固定状態で取付けることができる。
したがって、従来のように回動可能に取付けるものに比べ、構造が簡単で、長期経っても確実に作動させることができる。
【００２１】
（３）前記（１）によって、エレベーターシャフトが左右方向に揺れ動いても、スライド移動枠が左右方向にスライド移動して、その揺れ動きを床用目地装置に悪影響を与えることなく吸収することができる。
【００２２】
（４）請求項２も前記（１）〜（３）と同様な効果が得られる。
【図面の簡単な説明】
【図１】本発明の第１の実施の形態の横断面図。
【図２】図１の２−２線に沿う断面図。
【図３】図２の３−３線に沿う断面図。
【図４】本発明の第１の実施の形態のスライド移動枠の取付け状態の説明図。
【図５】本発明の第１の実施の形態の床用目地装置の説明図。
【図６】本発明の第１の実施の形態の天井用目地装置の説明図。
【図７】本発明の第１の実施の形態の壁面用目地装置の正面図。
【図８】図７の８−８線に沿う断面図。
【図９】開口部側の目地部が広くなった動作説明図。
【図１０】開口部側の目地部が狭くなった動作説明図。
【図１１】左右方向に動いた場合の動作説明図。
【図１２】本発明の第２の実施の形態の横断面図。
【図１３】図１２の１３−１３線に沿う断面図。
【図１４】本発明の第２の実施の形態の床用目地装置の取付け状態の説明図。
【図１５】本発明の第３の実施の形態の横断面図。
【図１６】図１５の１６−１６線に沿う断面図。
【図１７】開口部側の目地部が狭くなった動作説明図。
【図１８】本発明の第４の実施の形態の横断面図。
【図１９】本発明の第４の実施の形態の床用目地装置の取付け状態の説明図。
【図２０】図１９の２０−２０線に沿う断面図。
【符号の説明】
１、１Ａ、１Ｂ、１Ｃ：エレベーターシャフトの開口部の目地装置、
２：建物、              ３：目地部、
４：エレベーターシャフト、
５：開口部、            ６：支持金具、
７：スライド移動枠、    ８、８Ａ、８Ｂ：目地プレート、
９、９Ａ、９Ｂ：床用目地装置、
１０：天井部材、        １１：天井プレート、
１２：天井用目地装置、  １３、１３Ａ：壁面用目地装置、
１４：エレベーターシャフト収納部、
１５、１５Ａ：凹部、    １６：ビス、
１７：目地プレート支持片、
１８：カバー部材支持片、１９：支持レール、
２０：ガイドレール、    ２１：ガイド片、
２２：ローラー、        ２３：ビス、
２４：カバー部材、      ２５：ガイドレール、
２６：ガイド片、
２７、２８、２９：中央枢支部、
３１：リンク機構、
３２、３３、３４：目地プレート、
３６：傾斜面、          ３７：取付け具、
３８：ガイドレール、    ３９、４０：係止部、
４１、４２、４３：目地プレート、
４５：固定具、          ４６：固定具。
【図１】
0003603009.tif 000002
【図２】
0003603009.tif 000003
【図３】
0003603009.tif 000004
【図４】
0003603009.tif 000005
【図５】
0003603009.tif 000006
【図６】
0003603009.tif 000007
【図７】
0003603009.tif 000008
【図８】
0003603009.tif 000009
【図９】
0003603009.tif 000010
【図１０】
0003603009.tif 000011
【図１１】
0003603009.tif 000012
【図１２】
0003603009.tif 000013
【図１３】
0003603009.tif 000014
【図１４】
0003603009.tif 000015
【図１５】
0003603009.tif 000016
【図１６】
0003603009.tif 000017
【図１７】
0003603009.tif 000018
【図１８】
0003603009.tif 000019
【図１９】
0003603009.tif 000020
【図２０】
0003603009.tif 000021